(57)【要約】      （修正有）【課題】損傷等によって正規の用途で使用されなくなったハニカムパネルを有効に活用したパネル材を提供する。【解決手段】平面視六角形の中空筒状に形成された複数のセルを互いに連ねたハニカムコアの表裏に面板が貼り付けられたハニカムパネル２０と、ハニカムパネルの少なくとも一方の面に、全面を覆うように貼り付けられた板材３０と、を備えたパネル材１０であって、ハニカムパネルは、正規の用途で使用されなくなったハニカムパネルから部分的に切り出したものである。板材は、ハニカムパネルとの貼り付け側と反対の面が、色や模様によって装飾された化粧面とされている。【選択図】図１
0003212836.tif 000002
【実用新案登録請求の範囲】
【請求項１】
平面視六角形の中空筒状に形成された複数のセルを互いに連ねたハニカムコアの表裏に面板が貼り付けられたハニカムパネルと、
前記ハニカムパネルの少なくとも一方の面に、全面を覆うように貼り付けられた板材と、
を備えたパネル材であって、
前記ハニカムパネルは、
正規の用途で使用されなくなったハニカムパネルから部分的に切り出したものである
ことを特徴とするパネル材。
【請求項２】
前記板材は、前記ハニカムパネルとの貼り付け側と反対の面が、色や模様によって装飾された化粧面とされている
ことを特徴とする請求項１に記載のパネル材。
【考案の詳細な説明】
【技術分野】
【０００１】
本考案は、蓋体、床材、壁材等に用いられるパネル材に関する。
【背景技術】
【０００２】
近年、建築物に用いられるパネル材として、ハニカムパネルが用いられている。このハニカムパネルは、平面視六角形の中空筒状に形成された複数のセルを互いに連ねたハニカムコアの表裏面に接着剤を付着させ、この接着剤によってハニカムコアの表裏面に面板を貼り付けることで得られる（例えば、特許文献１参照）。
【先行技術文献】
【特許文献】
【０００３】
【特許文献１】特開２００８−２４７０１５号公報
【考案の概要】
【考案が解決しようとする課題】
【０００４】
ところで、住宅の壁材、天井板、屋根板等に用いられるハニカムパネルからなるパネル材は、現場への搬入時や設置時に、化粧板を兼ねる面板や内部のハニカムコアを傷つけてしまうことがある。
【０００５】
しかし、ハニカムコアと面板とは接着剤によって強固に貼り付けられて一体化されているので、面板をハニカムコアから剥がして新たな面板を貼り付けるなどの修理が困難である。また、ハニカムパネルは、大きさ、配色及び模様等が設置場所に応じて個別に決められて製造される。したがって、面板やハニカムコアに傷や凹みがついた場合、このハニカムパネルは廃棄されることとなり、損失が大きかった。このため、損傷して廃棄されるハニカムパネルの有効活用が望まれている。
【０００６】
本考案の目的は、損傷等によって正規の用途で使用されなくなったハニカムパネルを有効に活用したパネル材を提供することにある。
【課題を解決するための手段】
【０００７】
上記課題を解決することのできる本考案のパネル材は、
平面視六角形の中空筒状に形成された複数のセルを互いに連ねたハニカムコアの表裏に面板が貼り付けられたハニカムパネルと、
前記ハニカムパネルの少なくとも一方の面に、全面を覆うように貼り付けられた板材と、
を備えたパネル材であって、
前記ハニカムパネルは、
正規の用途で使用されなくなったハニカムパネルから部分的に切り出したものである。
【０００８】
この構成のパネル材によれば、正規の用途で使用されなくなったハニカムパネルから部分的に切り出したハニカムパネルに板材を貼り付けている。つまり、損傷等によって廃棄される予定のハニカムパネルを有効活用することができ、経済的である。また、ハニカムパネルは、複数のセルを有するハニカム構造とされて高強度な構造体であるハニカムコアを有するので、取扱時や設置後における歪みや撓みを抑制できる。しかも、ハニカムパネルの少なくとも一方の面に、全面を覆うように板材が貼り付けられている。したがって、ハニカムパネルに傷がついていても、全面を覆う板材によって損傷個所を隠すことができ、見映えを良くすることができる。
【０００９】
上記構成のパネル材において、
前記板材は、前記ハニカムパネルとの貼り付け側と反対の面が、色や模様によって装飾された化粧面とされている。
【００１０】
この構成のパネル材によれば、色や模様によって装飾された化粧面を有する板材によってハニカムパネルの少なくとも一方の面の全面が覆われるので、見映えをさらに良くすることができる。
【考案の効果】
【００１１】
本考案によれば、損傷等によって正規の用途で使用されなくなったハニカムパネルを有効に活用したパネル材を提供できる。
【図面の簡単な説明】
【００１２】
【図１】本実施形態に係るパネル材及びパネル材が取り付けられる開口部の斜視図である。
【図２】開口部に取り付けられたパネル材の平面図である。
【図３】開口部に取り付けられたパネル材の断面図である。
【図４】図２におけるＡ部拡大図である。
【図５】図２におけるＢ−Ｂ断面図である。
【図６】図２におけるＣ−Ｃ断面図である。
【図７】パネル材を構成するハニカムパネルの斜視図である。
【図８】パネル材を構成するハニカムパネルの切り取りについて説明する図であって、（ａ）及び（ｂ）は、それぞれ切り出し用のハニカムパネルの斜視図である。
【考案を実施するための形態】
【００１３】
以下、本考案に係るパネル材の実施の形態の例を、図面を参照して説明する。
図１は、本実施形態に係るパネル材及びパネル材が取り付けられる開口部の斜視図である。図２は、開口部に取り付けられたパネル材の平面図である。図３は、開口部に取り付けられたパネル材の断面図である。
【００１４】
図１から図３に示すように、本実施形態に係るパネル材１０は、例えば、換気口などの開口部１を塞ぐ蓋体として用いられる。開口部１は、平面視矩形状に形成されたコンクリート製の枠部２を有しており、この枠部２の四隅に、ゴム等の弾性材料から形成された板状のクッション材３がコンクリートビス４によって固定されている。開口部１は、パネル材１０が被せられることで塞がれ、雨水等の浸入が抑制される。
【００１５】
図４は、図２におけるＡ部拡大図である。図５は、図２におけるＢ−Ｂ断面図である。図６は、図２におけるＣ−Ｃ断面図である。図７は、パネル材を構成するハニカムパネルの斜視図である。
【００１６】
図４から図６に示すように、パネル材１０は、ハニカムパネル２０と、板材３０とを有している。ハニカムパネル２０は、板材３０の裏面に、接着剤や両面接着テープなどの接着部材によって接着固定されている。
【００１７】
板材３０は、例えば、アルミニウム板、アクリル樹脂板、スチール板あるいは繊維強化プラスチック板等の板材であり、その表面は化粧面３１とされている。化粧面３１は、要求に応じて各種の色に着色されたり、木目等の模様が施されている。
【００１８】
板材３０の各辺には、ハニカムパネル２０の固定側へ折り曲げられた折曲部３３が形成されている。これらの折曲部３３の両縁部同士は、溶接や接着等によって互いに固定されてシールされている。また、対向する二対の折曲部３３の内の一対の折曲部３３には、その内面側に、補強枠材３５がビス３６によって固定されている。この補強枠材３５は、例えば、アルミニウムの押出材からなるもので、角筒状に形成されている。この補強枠材３５は、ハニカムパネル２０の縁部に重ね合わされており、その重ね合わされた箇所は、接着剤や両面接着テープ等の接着部材によって互いに接着されている。
【００１９】
図７に示すように、ハニカムパネル２０は、ハニカムコア２１と、面板２３，２４とを有している。ハニカムコア２１は、平面視六角形の中空の筒状に形成された複数のセル２１ａを有している。セル２１ａは、同一厚さに形成されて互いに連なっている。これにより、ハニカムコア２１は、複数のセル２１ａを有するハニカム構造とされて高強度な構造体とされている。
【００２０】
このハニカムコア２１は、例えば、アルミニウム等の金属で形成されている。アルミニウム製のハニカムコア２１は、腐食しづらく、メンテナンスが容易であり、しかも、加工性及びデザイン性に優れている。アルミニウム製のハニカムコア２１は、例えば、複数のアルミニウム板を積層し、その積層させたアルミニウム板同士の一部を接着剤により固着させ、これを積層方向に引き伸ばすことによって製造される。また、ハニカムコア２１は、押出成形によって一部が連結された複数のアルミニウム板を成形して引き伸ばすことで形成してもよい。なお、ハニカムコア２１としては、プラスチック等の樹脂から成形したものでもよい。
【００２１】
図８は、パネル材を構成するハニカムパネルの切り取りについて説明する図であって、（ａ）及び（ｂ）は、それぞれ切り出し用のハニカムパネルの斜視図である。図８に示すように、パネル材１０を構成するハニカムパネル２０は、正規の用途で使用されなくなった大型のハニカムパネル５０から部分的に切り出したものである。ハニカムパネル２０を切り出すための切り出し用のハニカムパネル５０は、例えば、建築物の庇、屋根、天井、床あるいは壁等に用いられる建材、列車や自動車などの車両の床もしくは船舶などの床を構成する床材、あるいは配電盤や制御盤などを構成する板材として用いられるものである。
【００２２】
図８（ａ）に示すように、ハニカムパネル５０は、他の構造材や他のハニカムパネルと接合させるためのフレーム５１で囲われたハニカムコア２１を有し、このフレーム５１で囲われたハニカムコア２１の表裏面に面板２３，２４が貼り付けられている。このハニカムパネル５０は、大きさ、配色及び模様等が設置場所に応じて個別に決められているため、面板２３，２４やハニカムコア２１に傷や凹みがついた場合、予定の設置場所に設置されず、廃棄されることとなる。
【００２３】
本実施形態に係るハニカムパネル２０は、図８（ｂ）に示すように、廃棄予定とされたハニカムパネル５０における損傷個所Ｄ以外のフレーム５１を除く領域から部分的に切り出したものである。
【００２４】
上記構成のパネル材１０は、そのハニカムパネル２０の固定側を下方へ向けて開口部１に被せられる。このようにすると、パネル材１０のハニカムパネル２０が、開口部１を構成する枠部２の四隅のクッション材３に載置され、開口部１の上部に安定した状態に設置される。ここで、パネル材１０は、板材３０に、複数のセル２１ａを有するハニカム構造とされた高強度な構造体であるハニカムコア２１を有するハニカムパネル２０が貼り付けられたものであるので、開口部１への設置作業時における歪みや撓みが抑制される。これにより、開口部１へ円滑に設置することができる。
【００２５】
このように、上記実施形態に係るパネル材１０によれば、正規の用途で使用されなくなったハニカムパネル５０から部分的に切り出したハニカムパネル２０に板材３０を貼り付けている。つまり、損傷等によって廃棄される予定のハニカムパネル５０を有効活用することができ、経済的である。また、ハニカムパネル２０は、複数のセル２１ａを有するハニカム構造とされて高強度な構造体であるハニカムコア２１を有するので、取扱時や設置後における歪みや撓みを抑制できる。しかも、ハニカムパネル２０の少なくとも一方の面に、全面を覆うように板材３０が貼り付けられている。
【００２６】
また、板材３０は、ハニカムパネル２０との貼り付け側と反対の面が、色や模様によって装飾された化粧面３１とされているので、見映えをさらに良くすることができる。
【００２７】
なお、上記実施形態では、大型のハニカムパネル５０における損傷個所Ｄ以外の領域からハニカムパネル２０を切り出したが、損傷が軽度であれば、損傷個所Ｄを含む領域からハニカムパネル２０を切り出したものでもよい。このように、損傷個所Ｄを有するハニカムパネル２０を用いたとしても、ハニカムパネル２０の全面を覆う板材３０によって損傷個所Ｄを隠すことができ、見映えを良くすることができる。
【００２８】
また、パネル材１０は、開口部１を塞ぐ蓋体に限らず、例えば、ウッドデッキの床を形成する床材や住宅の壁材などに用いてもよい。
【符号の説明】
【００２９】
１０  パネル材
２０  ハニカムパネル
２１  ハニカムコア
２１ａ  セル
２３，２４  面板
３０  板材
３１  化粧面
５０  ハニカムパネル
【図１】
0003212836.tif 000003
【図２】
0003212836.tif 000004
【図３】
0003212836.tif 000005
【図４】
0003212836.tif 000006
【図５】
0003212836.tif 000007
【図６】
0003212836.tif 000008
【図７】
0003212836.tif 000009
【図８】
0003212836.tif 000010